(57)【要約】【課題】愛玩動物用マット・シートからの悪臭や不衛生さを室内から無くし、清潔な室内で楽しく愛玩動物と共に過ごせることを目的とするものである。【解決手段】折り畳み式でマット・シートの着脱が簡単な補助枠と補助枠に着合する袋部を両縦端と挟み止め部を両横端裏面に設けてなるマット・シートであって、折り畳んだ補助枠にマット・シートの両縦端に設けた袋部に補助枠縦端部を片方から順に差込、両横端に設けた挟み留め部で補助枠横端部を挟み留めし、両方向へ広げ補助枠上方全体をマット・シートで覆った時に平面一となるようにしたものである。【選択図】　　　　　図８
2004024205.tif 000002
【特許請求の範囲】
【請求項１】
錆びに強い金属及び強度の有る合成樹脂などで形成された折り畳み式補助枠と、その補助枠に簡単に着脱出来るマット・シートであって、マット・シート裏面両縦端部分に設けた袋部と、両横側に挟み留め部を設けて形成され、両縦端寄り部分に設けた袋部分に補助枠の両枠をはめ込み広げた状態で両横側の挟み留め部で補助枠を挟み留め一枚のマット・シートとすることで、変形せず丸まらないことを特徴とする愛玩動物用マット・シート。
【発明の詳細な説明】
【０００１】
【発明の属する技術分野】
本発明は、例えば部屋の中に設置されて使用される愛玩動物用トイレとは別で、愛玩動物用ケイジ内の床部へ簡単に出し入れ出来るため、洗濯が出来常に清潔に保つことが出来る愛玩動物用マット・シートに関するものである。
【０００２】
【従来の技術】
愛玩動物用マット・シートは、愛玩動物用ケイジの床部から上部を持ち上げてマット・シートを挟み込む方法や、柔らかな布を敷く方法で使用する事が知られている。
【０００３】
【発明が解決しようとする課題】
上記従来のマット・シートを敷く方法だと、愛玩動物用ケイジの上に物等を、置いてあったりして女性・男性に関わらず毎日取り替えることが難しい、又柔らかな布や一般に販売されているマット・シートだと、犬や猫が噛んだり爪で引っ掻いて、愛玩動物用ケイジの床上の隅でクシャクシャになったりボロボロになって丸まって、犬・猫などが排尿したり糞などが付着していても判らず、悪臭が部屋の中に広がることが多く、来客の時に不快感を感じさせることが多いという問題点もあった。
【０００４】
加えて一般で市販されているマット・シートの裏側にはゴム、又は科学樹脂が附けられていて犬・猫や他の愛玩動物が、爪で引っ掻き噛んだりして食べてしまう問題もあった。
本発明は上記問題点に艦み提案されたもので、女性でも簡単に出し入れ着脱、丸洗いが出来、愛玩動物に無害で清潔に使用出来るようにすることを目的とするものである。
【０００５】
【課題を解決するための手段】
上記目的を達成するために、本発明にかかる愛玩動物用ケイジ内でも変形せず洗濯出来
るマット・シートは、愛玩動物用ケイジの小さな出入り口からでも簡単に出し入れし易くした特徴を持つ折り畳み式補助枠をゆうし、折り畳んだ補助枠をマット・シートの両縦端側に設けた袋部分に差し込んだ後、両横端側に設けた挟み留め部にて補助枠を挟み留め、折り畳んだ状態で愛玩動物用ケイジの入り口から折り曲げた方を上に進入させた後、床部で両縦端側を両方向へ広げた時に、変形せず洗濯出来るマット・シートとなるようにしたことを特徴とするものである。
【０００６】
【作用】
本発明に係る愛玩動物用マット・シート本体が、愛玩動物用ケイジに対し独立構造を有するので、補助枠の折り曲げ広げ止め部を中心として折り畳み、その上からマット・シートの裏面縦端両側に設けた袋部に、補助枠の両縦端をはめ込み、折り曲げ広げ止め部を中心として平面一になって止まる迄広げ、マット・シートの裏面横両側に設けた挟み止め部で、補助枠の両横側を挟み込んで固定することにより変形しなくなる。
次に、小さな出入り口の愛玩動物用ケイジの床部に敷く場合、マット・シートの折り曲げ広げ止め部を中心に二つに折り畳み、両折り曲げ広げ止め部が角状になり、角を上にした状態で、片方の角から順番に両角を出入り口から中に入れ込み、両折り曲げ広げ止め部を上に両端を床部上で左右平面一に成って止まる個所まで広げることにより、変形せず洗濯の出来るマット・シートとなる。
尚、愛玩動物用ケイジに屋根がない場合、又出入り口が大きい場合には、マット・シートを平面一に広げた状態で床部に敷くことができる。
【０００７】
次に、洗濯する場合、愛玩動物用ケイジ内に敷かれているマット・シートの両端を折り曲げ広げ止め部が上になるように折り畳み、片方の角から順にケイジの出入り口から外へ出し、マット・シート両横側に設けた挟み留め部を補助枠から外し、両縦側に設けた袋部から補助枠を抜き取れば、補助枠からマット・シートが分離するため、洗濯することにより清潔で、何時でも簡単に取り替えることが出来るのである。
【０００８】
【発明の実施の形態】
以下、本発明に係る愛玩動物用マット・シートを図面に基づいて説明する。
図１は、愛玩動物用ケイジの出入り口からマット・シートの両折り曲げ広げ止め部が上になるように折り畳んだ状態で、片方の角部から順に出し入れしようとする姿勢全体斜視図であって、図中符号１−Ａは変形せず洗濯出来るマット・シートを全体的に示す。
図２は、変形せず洗濯の出来るマット・シート１−Ａ及び、洗濯の出来るマット・シート１を平面に広げた表面斜視図である。
図３・は、洗濯の出来るマット・シート１の裏側全体斜視図で、両縦端側部に設けた袋部２・２布及び収縮性のある生地をマット・シート１の裏面に合わせ縫着した袋と、両横側部に設けた挟み留め部３・３・３・３とを備え強化及び飾りを目的にオーバーロック・テープ加工部４で形成されている。
図４は、挟み留め部３の拡大図で、挟み留め部用布の３−１と３−２へマジックテープ（登録商標）５を逢着し、３−２側をマット・シート１の裏面へ６の仮想線で示す様に逢着することで、３−１と３−２の間に補助枠ＡのＤ部を挟み３−１と３−２を着合すれば固定できる。
【０００９】
図５・６で示す補助枠Ａの特徴は、補助枠Ａ自体を変形させないために設けた桟部Ｂ・Ｂが折り曲げ広げ止め部Ｅ・Ｅから縦枠部Ｃ・Ｃ方向へ移行させて設けてあるため、補助枠Ａを折り畳んだ上からマット・シート１を簡単に着け外し出来る特徴を持っている。
尚、上記桟部Ｂ・Ｂは愛玩動物などに異物感を与えない為に、特に薄くしてある。
図７で示す折り曲げ広げ止め部Ｅは、補助枠Ｄ・Ｄ部端とコの字型部品Ｅ−１にビス留め部Ｆ・Ｆを設けビスＦ−１・Ｆ−１をすることによりＤ・Ｄが平面一で止まり又、折り畳める。
他に、上記目的を達成するためには図８で示す枠端部Ｄ・Ｄを蝶番部Ｇで接続させても目的は達成できる。
【００１０】
上記のように構成されたマット・シート１−Ａを、愛玩動物用ケイジ床部へ敷く状態にするには、図９に示すようにマット・シート１に設けられた袋部２・２に補助枠ＡのＣ・Ｃ部を片方から順に差し込んだ後、マット・シート１に設けられた挟み留め部３・３・３・３で補助枠ＡのＤ・Ｄ・Ｄ・Ｄ部を挟み留めし、補助枠Ａの折り曲げ広げ止め部Ｅ・Ｅを中心に止まるまで広げ平面一に成った状態の裏面全体が図１０に示すようになる、又表面全体は、図２に示すようになる。
次に、取り替える場合、図９に示すようにマット・シート１に設けられた挟み留め部３・３・３・３を、補助枠ＡのＤ・Ｄ・Ｄ・Ｄから外し、マット・シート１に設けられた袋部２・２から補助枠ＡのＣ・Ｃ部を片方から順に抜き取ることにより簡単に外すことができる。
【００１１】
上記のようにして完成した、変形せず洗濯の出来るマット・シート１−Ａを、図１０で示すＥ・Ｅ折り曲げ広げ止め部を中心に折り畳むと、図１１に示すようになる。
次に、図１に示すように折り曲げ広げ止め部Ｅ・Ｅの片方角部から順に愛玩動物用ケイジの出入り口から侵入させ、折り曲げ広げ止め部Ｅ・Ｅを中心として両端を広げれば平面一になって床部上で止まる、この状態を図２で示している。
次に、愛玩動物用ケイジ内から出す場合、折り曲げ広げ止め部Ｅ・Ｅを床部上から摘み上げ図１１に示すように両端を折り畳み、図１に示すように折り曲げ広げ止め部Ｅ・Ｅの片方角部から順に、愛玩動物用ケイジ出入り口から取り出すことが出来るのである。
【００１２】
尚、上記実施例では折り畳んで愛玩動物用ケイジの小さな出入り口からの出し入れ方法についての説明をしているが、愛玩動物用ケイジの出入り口が大きい場合や、愛玩動物用ケイジの屋根部が無い場合、変形せず洗濯の出来るマット・シート１−Ａを折り畳まず、図２で示すように広げたまま出し入れしてもよいことは勿論である。
【００１３】
【発明の効果】
本発明に係る愛玩動物用マット・シートは以上に説明したように、まず補助枠を折り畳みその上にマット・シートの袋部の片方から順にはめ込み、挟み留め部で補助枠を挟み留め、愛玩動物用ケイジ内に侵入させ折り曲げ広げ止め部を中心に床部上で平面一になるよう両方行へ広げれば使用でき、又愛玩動物用ケイジ床部から簡単に取り出せ、補助枠からマット・シートが簡単に取り外せるので従来のマット・シートのように愛玩動物用ケイジの床部から上部を取り外して挟み込む必要が無く手軽に出し入れ着脱が出来、マット・シートの取り替え洗濯する場合にも至便なものにする事が出来るという利点がある。
【００１４】
更に、上述したように補助枠とマット・シートが各自独立構造を有するので、補助枠を一枚有すれば、色柄及び季節感の有るマット・シートに取り替えることが出来、常に清潔で楽しく愛玩動物と共に快適なものと成るという利点もある。
【図面の簡単な説明】
【図１】愛玩動物用ケイジの出入り口からマット・シートを折り畳み角の片方から出し入れする全体斜視図である。
【図２】補助枠のセット前とセット後のマット・シート表面斜視図である。
【図３】補助枠のセット前のマット・シート裏面斜視図である。
【図４】マット・シート裏面のマジックテープ（登録商標）加工した挟み留め部の拡大図である。
【図５】補助枠を広げた斜視図である。
【図６】補助枠を折り畳んだ斜視図である。
【図７】折り曲げ広げ止め部の拡大斜視図である。
【図８】他方法の折り曲げ広げ止め部の拡大斜視図である。
【図９】補助枠をマット・シートの裏に片方から順にはめ込み、又外す状態の斜視図である。
【図１０】補助枠が完全にはめ込まれた状態のマット・シート裏側全体図である。
【図１１】マット・シートを折り畳んだ状態の斜視図である。
【符号の説明】
１−Ａ・・補助枠がセットされた、変形せず洗濯の出来るマット・シート本体
１・・・マット・シート
２・・・袋部
３・・・挟み留め部
３−１・・マット・シートに縫附けない部
３−２・・マット・シートに縫附ける部
４・・・飾り及び強化部
５・・・マジックテープ（登録商標）
６・・・縫附け部
Ａ・・・補助枠
Ｂ・・・桟部
Ｃ・・・補助枠の縦端部
Ｄ・・・補助枠の横端部
Ｅ・・・折り曲げ広げ止め部
Ｅ−１・・コの字型部品
Ｆ・・・ビス留め部
Ｆ−１・・ビス
Ｇ・・・蝶番
【図１】
2004024205.tif 000003
【図２】
2004024205.tif 000004
【図３】
2004024205.tif 000005
【図４】
2004024205.tif 000006
【図５】
2004024205.tif 000007
【図６】
2004024205.tif 000008
【図７】
2004024205.tif 000009
【図８】
2004024205.tif 000010
【図９】
2004024205.tif 000011
【図１０】
2004024205.tif 000012
【図１１】
2004024205.tif 000013